(57)【要約】【課題】本発明は、高粘度内容物の定量吐出化粧品容器構造に関し、より詳しくは、化粧品容器の内部に一種または多種の高粘度内容物が収容できる化粧品収容空間を形成し、化粧品収容空間の内部に設けられたピストンがスクリュー軸に沿って上部に移動しながら高粘度内容物を一定量ずつ押出すると共に、ポンピング手段によりこれを排出して空気との接触による内容物の変質を防止しながら一定量の内容物が排出できるようにした化粧品容器構造に関する。【解決手段】  本発明の高粘度内容物の定量吐出化粧品容器構造は、容器本体に収容された内容物を一定量ずつ排出して使用することができる化粧品容器構造であって、化粧品容器の内部に一種または多種の高粘度内容物が収容できる化粧品収容空間を形成し、容器本体の上段部にスプリングにより弾性支持され、内容物が排出される排出孔が形成されたボタンと、前記ボタンにより動作され、環状パッキンにより排出孔が開閉される移動管を有するポンピング手段と、前記ポンピング手段の動作により回転するスクリュー部材と、前記スクリュー部材の回転により上昇しながら容器本体に収容された内容物を押出するピストンと、が含まれたものである。【選択図】図１
2008514267.tif 000002
【特許請求の範囲】
【請求項１】
容器本体１００に内蔵された内容物１０６を一定量ずつ排出して使用することができる化粧品容器構造であって、
化粧品収容空間１０８と、
前記化粧品収容空間１０８に設けられ、ボタン１２０により動作され、環状パッキン２５２により内容物流通孔２４２が開閉される移動管２４０を有するポンピング手段２００と、
前記ポンピング手段２００により回転するスクリュー部材２３０と、
前記スクリュー部材２３０の逆回転を防止するラチェットギア２３６と、
前記スクリュー部材２３０の回転により上昇しながら容器本体１００に内蔵された内容物１０６を押出するピストン１５０と、
が含まれることを特徴とする高粘度内容物の定量吐出化粧品容器構造。
【請求項２】
前記化粧品収容空間１０８が２つ以上であることを特徴とする請求項１記載の高粘度内容物の定量吐出化粧品容器構造。
【請求項３】
前記２つ以上の化粧品収容空間１０８の内容物１０６が同一な量で排出できるようにスクリュー部材２３０に断続ギア２３９を形成し、前記断続ギア２３９の間に連結ギア２３８を設置することを特徴とする請求項２記載の高粘度内容物の定量吐出化粧品容器構造。
【請求項４】
前記ポンピング手段２００は、前記ボタン１２０と共に昇降され、外側の周面に突起２１２が形成された昇降部材２１０と、
前記昇降部材２１０の外側に被せられ、前記昇降部材２１０の突起２１２が貫通して挿入されるように、内側の壁面に切欠溝１３２が形成された上部カバー１１０と、
前記昇降部材２１０が挿入され、内側の周面には、前記昇降部材２１０の突起２１２が挿入される螺旋溝２２２が形成され、底面には駆動ギア２２４が形成された回転部材２２０と、
前記駆動ギア２２２に選択的にギア結合される従動ギア２３２が上面に形成され、下段部にスクリュー軸１４０が形成され、内容物１０６が移動する内容物移動孔２３２が形成されたスクリュー部材２３０と、
前記昇降部材２１０の内部に挿入されて、下段部の外側の周面には内容物流通孔２４２が形成された移動管２４０と、
前記移動管２４０の内容物流通孔２４２を開閉する環状パッキン２５２と、
前記スクリュー部材２３０の内側の下部に押し嵌め結合されたシリンダ２５０と、
を含むことを特徴とする請求項１記載の高粘度内容物の定量吐出化粧品容器構造。
【請求項５】
前記ピストン１５０は、密閉力を高めて、動作をより滑らかにするために、ピストンリング１５６を更に形成することを特徴とする請求項１記載の高粘度内容物の定量吐出化粧品容器構造。
【請求項６】
前記スクリュー部材２３０の上部の内側にバルブ２３５を更に形成することを特徴とする請求項１記載の高粘度内容物の定量吐出化粧品容器構造。
【発明の詳細な説明】
【技術分野】
【０００１】
本発明は、高粘度内容物の定量吐出化粧品容器構造に関し、より詳しくは、化粧品容器の内部に一種または多種の高粘度内容物が収容できる化粧品収容空間を形成し、化粧品収容空間の内部に設けられたピストンがスクリュー軸に沿って上部に移動しながら高粘度内容物を一定量ずつ押出すると共に、ポンピング手段によりこれを排出して空気との接触による内容物の変質を防止しながら一定量の内容物が排出できるようにした化粧品容器構造に関する。
【背景技術】
【０００２】
一般に、栄養クリーム、アイクリームまたはゲル状ファウンデーションのように、粘度の高い化粧品は円筒形容器に内容物を詰めて保管しており、使用時には化粧品の蓋を開けて手指で内容物を付けて使用するようになっている。したがって、このような従来の高粘度化粧品容器は、内容物を使用するためには、蓋を必ず開かなければならないため、化粧品容器に盛られた高粘度内容物の表面が空気に露出して保存期間が短縮されることは勿論、高粘度内容物を付けて使用する際、使用者が手指を使用するので、内容物が汚染された手指に接触するため、内容物が変質するおそれがあった。また、従来の化粧品容器は、使用者の手指に内容物を付けて取り出すため、引出される量が正確に調節できず、内容物を浪費することになるという問題点もあった。
【０００３】
また、化粧品の種類の中で、２、３種類の化粧品を共に混合して使用して効果の増大を期する化粧品があるが、このような化粧品を予め混合しておくと、化粧品の成分間に化学反応が生じて効果が減少してしまう。このため、別途の容器に別に保管して、２、３種類の化粧品を別々に出して混合してから皮膚に塗布して使用するため、使用上の不便もあった。
【０００４】
このような従来の問題点の解決のために案出したものには、本出願人が実用新案登録出願した大韓民国実用新案登録第３７０５７５号があり、この従来の発明は、容器本体１０の上段部にスプリング２２により弾性支持され、中央には内容物６０が排出される排出孔２４が形成されたボタン２０と、前記ボタン２０により動作され、シリンダ３２の端部により内容物流通孔３４２が開閉される移動管３４を有するポンピング手段３０と、前記ボタン２０の上下動作により回転するスクリュー軸４０と、前記スクリュー軸４０の回転により上昇しながら、容器本体１０に内蔵された内容物６０を押出するピストン５０からなるものであって、ポンピング手段３０により内容物６０を一定量ずつ排出して使用できるようにして、内容物の変質や必要以上に浪費される問題点を解決した。しかしながら、この従来の発明は、ポンピング手段３０の構造的な問題により内容物６０が前記シリンダ３２の端部と移動管３４との間で漏水され、前記漏水された内容物６０が前記ポンピング手段３０の作動部に押し込まれて ポンピング手段３０が円滑に作動できない問題点があり、２、３種類の高粘度内容物を同時に排出させて使用しようとする時には、２、３の化粧品容器が必要であるため、従来の不便が解消できなかった。
【特許文献１】大韓民国実用新案登録第３７０５７５号
【発明の開示】
【発明が解決しようとする課題】
【０００５】
本発明は、従来の問題を解決するために案出したものであって、その主な目的は、化粧品の蓋を開けないで、内容物を取り出すことができるようにして、内容物が空気と接触しないようにし、内容物を取り出す時には手指で付けて取り出さないで、ポンピング手段により内容物を排出させて使用することで、内容物の変質を防止しようとするものであり、また、ポンピング手段により常に一定量の内容物を排出させて使用することで、内容物の浪費をなくすことにある。
【０００６】
本発明の他の目的は、従来の本出願人が実用新案登録出願した大韓民国実用新案登録第３７０５７５号の問題点を補完したものであって、ポンピング手段の内容物の漏水現象を除去することにある。
【０００７】
また、本発明の更に他の目的は、種々なる高粘度内容物を同時に排出して使用できるようにしたことにある。
【課題を解決するための手段】
【０００８】
このような本発明の目的は、化粧品容器の内部に１種または多種の高粘度内容物が収容できる化粧品収容空間を形成し、各化粧品収容空間の内部の下方にピストンを内蔵してスクリュー軸にこれを上昇するようにすると共に、容器本体の上側にはポンピング手段を設置し、かつ、移動管の内容物流通孔を環状パッキンにより開閉するポンピング手段の作動により容器本体に保管された高粘度内容物を一定量ずつ排出できるようにした高粘度化粧品容器を提供することにより達成できる。
【０００９】
前記の目的を達成するための本発明の特徴的な構成を説明すれば、次の通りである。
【００１０】
本発明の高粘度内容物の定量吐出化粧品容器構造は、容器本体に収蔵された内容物を一定量ずつ排出して使用することができる化粧品容器構造であって、化粧品容器の内部に一種または多種の高粘度内容物が収容できる化粧品収容空間を形成し、容器本体の上段部にスプリングにより弾性支持され、内容物が排出される排出孔が形成されたボタンと、前記ボタンにより動作され、環状パッキンにより排出孔が開閉される移動管を有するポンピング手段と、前記ポンピング手段の動作により回転するスクリュー部材と、前記スクリュー部材の回転により上昇しながら容器本体に収蔵された内容物を押出するピストンと、が含まれたものである。
【発明の効果】
【００１１】
本発明によれば、高粘度化粧品を容器本体に保管した状態で前記容器本体に内蔵されたピストンの上昇作用によって前記高粘度化粧品を押出すると共に、ポンピング手段により一定量ずつ排出することにより化粧品の変質を防止して化粧品の保存期間を延長させることができるのは勿論、化粧品の過消費が防止できるという特有の効果があり、従来の本出願人が実用新案登録出願した大韓民国実用新案登録第３７０５７５号の問題点を除去して改善したものであって、ポンピング手段の内容物漏水現象を除去し作用を円滑にした有用な発明である。
【００１２】
また、種々なる高粘度内容物を同時に排出して使用することで、各々多種の高粘度内容物を別途に排出して混合して使用する不便を解消した。
【００１３】
また、このような本発明は、化粧品容器に使用することに限らず、皮膚軟膏剤または歯磨きのような高粘度の内容物を一定量ずつ排出することに優れた効果があり、添付された図面を参照して本発明が説明されても実用新案登録請求範囲から外れない範囲内で多くの修正及び変更があってもよいことは勿論である。
【発明を実施するための最良の形態】
【００１４】
このような特徴を有する本発明を詳細に説明すれば、次の通りである。
【００１５】
添付された図面は、本発明の技術的思想をより具体的に説明するために図示した一例に過ぎず、本発明の技術的思想は、添付された図面の形態に限るものではない。
【００１６】
図１は本発明に係る化粧品容器を示す縦断面図であり、図２ａ乃至図２ｄは本発明に係る化粧品容器のポンピング手段が作動する過程を示す一部断面図であり、図３は本発明に採用されたラチェットギアの断面図であり、図４ａ及び図４ｄは本発明に採用されたラチェットギアの分解斜視図及び組立斜視図であり、図５は本発明に係る化粧品容器のピストンが設けられた状態を示す一部断面図であり、図６は図５のＡ−Ａ線断面図であり、図７は本発明に係る化粧品容器のピストンを示す分解斜視図であり、図８は本発明に係る化粧品容器のポンピング手段を示す分解斜視図であり、図９は本発明に係る化粧品容器のポンピング手段を示す斜視図であり、図１０ａ乃至図１０ｄは本発明に係る化粧品容器のポンピング手段が押される過程を示す斜視図であり、図１１ａ乃至図１１ｃは本発明に係る化粧品容器のポンピング手段が復元される過程を示す斜視図である。
【００１７】
ここで、参照されるように、本発明は、栄養クリーム、アイクリーム、またはゲル状のファウンデーションのような高粘度化粧品を容器本体１００の内部に一種または多種が収容できる化粧品収容空間１０８を形成し、容器本体１００の底面に容器栓１０２が結合されている。前記容器本体１００の上側には上部カバー１１０が結合されてあり、前記上部カバー１１０の中央にはスプリング１２４により弾性支持されるボタン１２０が突出するように結合されてあり、前記ボタン１２０の中央には内容物１０６が外部に排出される排出孔１２２が形成されている。
【００１８】
そして、前記上部カバー１１０の内部にはボタン１２０により動作されるポンピング手段２００が設けられてあり、かつ、前記ポンピング手段２００はボタン１２０と共に昇降されるようにボタン１２０の下段部に結合されている。前記ボタン１２０とポンピング手段２００との結合は、移動管２４０に昇降部材２１０とボタン１２０を順次に押し嵌めすることにより、共に連動されるようにした。そして、前記昇降部材２１０の下段部の外側の周面には突起２１２が形成されている。
【００１９】
前記上部カバー１１０の内側の壁面には、切欠溝１３２が形成されてあり、前記切欠溝１３２の中へ前記昇降部材２１０の突起２１２が貫通するように挿入され、前記上部カバー１１０の内側壁面の切欠溝１３２の外側には回転部材２２０が被せられるが、前記回転部材２２０の内側の周面には螺旋溝２２２が形成されて前記突起２１２が挿入されて、前記回転部材２２０の底面には駆動ギア２２４が形成されている。
【００２０】
一方、前記駆動ギア２２４に選択的にギア結合される従動ギア２３２はスクリュー部材２３０の上面に形成されてあり、前記スクリュー部材２３０の下段部にはスクリュー軸１４０が一体形成され、前記スクリュー軸１４０の上方には内容物１０６が移動する内容物移動孔２３４が形成されてあり、前記スクリュー部材２３０の上段の内側には内容物１０６の安定した排出のためにバルブ２３６を設けた。
【００２１】
前記昇降部材２１０の内側に挿入された移動管２４０の下段部の外側の周面には内容物流通孔２４２が形成されてあり、前記移動管２４０の端部の外側には環状パッキン２５２が嵌め込まれて、前記内容物流通孔２４２が選択的に開閉できるようになっている。そして、前記環状パッキン２５２の外側にはシリンダ２５０が結合されている。
【００２２】
また、前記スクリュー部材２３０の底面に一体形成されているスクリュー軸１４０には、前記スクリュー軸１４０の回転により上昇されながら容器本体１００に内蔵された内容物１０６を押出するピストン１５０がねじ結合されてあり、かつ、前記スクリュー軸１４０とピストン１５０との間には気密を維持するように前記ピストン１５０の内部にシーリングラバー１５２が挿入されており、前記シーリングラバー１５２を圧縮して前記スクリュー軸１４０に密着するように前記スクリュー軸１４０の下段部にはピストンナット１５４がねじ結合されている。
【００２３】
一方、ピストン１５０は、回転すれば上方に上昇できないので、前記ピストン１５０の回転を防止するために、図６と図１４に示すように、容器本体１００とピストン１５０の断面形状を真円形状でない楕円形をなすようにしており、楕円形状の他に、三角形、四角形など、真円形状でなければ、前記ピストン１５０は回転せずに上方に上昇できることになる。
【００２４】
図１２は本発明の他の実施例に係る化粧品容器を示す縦断面図であり、図１３ａ乃至図１３ｄは本発明の他の実施例に係る化粧品容器のポンピング手段が作動する過程を示す一部断面図であり、図１４は図１２のＢ−Ｂ線断面図であり、図１５は本発明の他の実施例に係る化粧品容器のピストンを示す分解斜視図であり、図１６は本発明の他の実施例に係る化粧品容器のポンピング手段を示す分解斜視図であり、図１７は本発明の他の実施例に係る化粧品容器のポンピング手段を示す斜視図であり、図１８ａ乃至図１８ｃは、本発明の他の実施例に係る化粧品容器のポンピング手段が押される過程を示す斜視図であり、図１９ａ乃至図１９ｃは本発明の他の実施例に係る化粧品容器のポンピング手段が復元される過程を示す斜視図である。
【００２５】
本発明の他の実施例に係る化粧品容器は、種々なる高粘度内容物が同時に排出できるように形成されてあり、各々のポンピング手段２００から排出される内容物の量を同一にして、最終的に片側の内容物のみ残る問題点をなくすように、各々のポンピング手段２００を互いに連動させて、各化粧品収容空間１０８の内容物が同時に全て消尽できるようにする必要がある。したがって、２つのポンピング手段２００を連動させるために、図１２に示すように、スクリュー部材２３０の上部側面に断続ギア２３９を形成し、前記２つのポンピング手段２００の間に連結ギア２３８を設けて、前記２つの断続ギア２３９に噛合されるようにした。
【００２６】
このように構成された本発明の作用に対して詳細に説明すれば、次の通りである。
【００２７】
本発明の化粧品容器を使用していない時には、移動管２４０の内容物流通孔２４２を環状パッキン２５２が防いでいるので、容器本体１００に保管された内容物１０６は外部と遮断されるようになる。このような状態で内容物１０６を押出しようとする時には、ボタン１２０を押せば、前記ボタン１２０はスプリング１２４を圧縮しながら下方に移動し、この際、前記ボタン１２０に押し嵌めされている移動管２４０と前記移動管２４０に押し嵌めされている昇降部材２１０が全て下方に移動されるものである。
【００２８】
前記昇降部材２１０が下方に移動する際、前記昇降部材２１０の下段部の外側の周面に形成された突起２１２は、上部カバー１１０の内側壁面切欠溝１３２内で上下のみに直線往復動することになる。この際、前記昇降部材２１０の前記突起２１２の端部が挿入されている回転部材２２０の螺旋溝２２２はななめに螺旋状で形成されているので、前記昇降部材２１０の前記突起２１２が直線で下降するのを妨害することになるので、より強く前記昇降部材２１０を押せば、前記突起２１２が前記螺旋溝２２２の側面を斜めに押しながら下方に下降することになるので、前記回転部材２２０が回転することになるのである。
【００２９】
前記回転部材２２０が回転すれば、その回転部材２２０の駆動ギア２２４と噛合されている従動ギア２３２が共に回転され、前記従動ギア２３２と一体形成されたスクリュー部材２３０及びスクリュー軸１４０が共に回転することになるので、その回転力はスクリュー軸１４０の下段部にねじ結合されたピストンナット１５４に伝えられる。
【００３０】
前記スクリュー軸１４０が回転すれば、前記ピストン１５０は容器本体１００の内部で回転しない断面形状に形成されているため、前記ピストン１５０は、ピストンナット１５４と共に上方に移動することになる。
【００３１】
前記ピストン１５０が上方に移動すれば、容器本体１００に収納された内容物１０６は圧縮されてスクリュー部材２３０に形成された内容物移動孔２３４を通じて排出される。
【００３２】
一方、前記ボタン１２０を押して前記ボタン１２０が下方に移動する際、その中央部に設けられた移動管２４０が共に下方に移動するので、シリンダ２５０の体積が減ることになって、前記シリンダ２５０の内部の圧力が高まることになり、前記シリンダ２５０の内部の圧力が高まることになれば、前記移動管２４０の外側端部が挿入されている環状パッキン２５２はシリンダ２５０の内部の高まる圧力により前記移動管２４０と共に下方に下降できなくて、前記移動管２４０のみ下に降りるので、前記移動管２４０の端部の周面に形成されている内容物流通孔２４２は、図２ａ及び図１３ａに示すように、前記環状パッキン２５２により塞がっている状態で、図２ｂ及び図１３ｂに示すように、前記環状パッキン２５２から開放されながら前記シリンダ２５０内にあった内容物１０６が前記内容物流通孔２４２を通じて排出される。このような状態で更にボタン１２０を押せば、図２ｃ及び図１３ｃに示すように、内容物１０６は、前記ボタン１２０の排出孔１２２を通じて外部に排出される。
【００３３】
また、前記ピストン１５０が上方に移動する際、図５に示すように、容器本体１００の底面に形成された空気孔１０４を通じて空気が移動されるので、ピストン１５０が円滑に上昇することになる。
【００３４】
前述したように、内容物１０６が排出された後、ボタン１２０を放すと、図２ｄ及び図１３ｄに示すように、スプリング１２４の復元力により移動管２４０が上昇するので、内容物流通孔２４２はまた環状パッキン２５２により遮断されるようになる。
【００３５】
この際、昇降部材２１０の突起２１２が挿入されている回転部材２２０の螺旋溝２２２は、前記突起２１２が直線で上昇することを妨害することになるので、前記突起２１２と前記螺旋溝２２２の側面との摩擦力により、図２ｄ及び図１３ｄに示すように、前記回転部材２２０が若干上方に持ち上げられながら前記回転部材２２０の駆動ギア２２４とスクリュー部材２３０の従動ギア２３２との噛合が一時解除されることになり、この際、前記回転部材２２０はボタン１２０を押した時の反対方向に回転しながら図２ａ及び図１３ａに示すように、元の位置に復元される。
【００３６】
即ち、前記ポンピング手段２００の作動状態を図１０ａ乃至図１１ｃ及び図１８ａ乃至図１９ｃを参照して詳細に説明すれば、次の通りである。
【００３７】
図１０ａ及び図１８ａのような状態で昇降部材２１０を押すと、図１０ｂと図１０ｃ、及び図１８ｂと図１８ｃに示すように、前記昇降部材２１０の突起２１２は、上部カバー１１０の内側壁面切欠溝１３２内で直線で下降し、螺旋溝２２２が形成された回転部材２２０は時計方向に回転することになり、前記回転部材２２０の駆動ギア２２４とスクリュー部材２３０の従動ギア２３２が噛合されているので、前記スクリュー部材２３０とスクリュー軸１４０が前記回転部材２２０と共に回転することになる。
【００３８】
一方、前記昇降部材２１０が完全に押された図１１ａ及び図１９ａのような状態で、前記昇降部材２１０を押した力を除去すれば、スプリング１２４の力により前記昇降部材２１０が上方に上昇することになるが、前記昇降部材２１０の突起２１２が上部カバー１１０の内側壁面切欠溝１３２内で規制されるので、直線で上昇することになり、螺旋溝２２２と前記突起２１２との摩擦力により、図１１ｂ及び図１９ｂに示すように、回転部材２２０が若干持ち上げられながら前記回転部材２２０の駆動ギア２２４とスクリュー部材２３０の従動ギア２３２との噛合が解除されるので、前記回転部材２２０が容易に逆回転して、図１１ｃ及び図１９ｃに示すように、元の位置に復帰されるようになる。
【００３９】
この際、スクリュー軸１４０は、図３、図４ａ、及び図４ｂに示すように、スクリュー部材２３０に結合されているラチェットギア２３６により逆回転が防止されるのであり、一方、前記ピストン１５０の密閉力を高めるために、図２３及び図２４に示すように、ピストンリング１５６を更に構成することができる。ピストンリング１５６の結合により一層密閉力が高められるのみならず、ピストン１５０の動作も滑らかにすることができる。
【００４０】
前記の説明は、化粧品収容空間１０８を１つ乃至２つ形成し、前記化粧品収容空間１０８に各々ポンピング手段２００を設けた化粧品容器に対して説明したが、本発明は１種乃至２種の高粘度内容物を同時に排出することに止まらず、 図２１及び図２２に示すように、化粧品収容空間１０８を３つ形成し、各化粧品収容空間１０８にポンピング手段２００を設けることにより、３種類の高粘度内容物も同時に排出することができ、前記３つの化粧品収容空間１０８に収容した内容物を全て同一に排出させて、最後には各化粧品収容空間１０８の内容物のうち、いかなる内容物も残量が残らないようにするために、図２２に示すように、各スクリュー部材２３０の上部の側面に断続ギア２３９を形成し、前記断続ギア２３９の間に連結ギア２３８を設けて、各スクリュー部材２３０が同じ回転数で回転するようにすることで、３種類の内容物の排出量を同一にすることができる。
【００４１】
前記のような方法により多数個の化粧品収容空間１０８が構成できることは勿論である。そして、図２０は、本発明の更に他の実施例に係る化粧品容器を示すものであって、製品生産コストの低減のために、各スクリュー部材２３０に断続ギア２３９を形成しておらず、これによって、連結ギア２３８も形成しない実施例を示すものである。
【産業上の利用可能性】
【００４２】
本発明によれば、高粘度化粧品を容器本体に保管した状態で前記容器本体に内蔵されたピストンの上昇作用によって前記高粘度化粧品を押出すると共に、ポンピング手段により一定量ずつ排出することにより化粧品の変質を防止して化粧品の保存期間を延長させることができるのは勿論、化粧品の過消費が防止できるという特有の効果があり、従来の本出願人が実用新案登録出願した大韓民国実用新案登録第３７０５７５号の問題点を除去して改善したものであって、ポンピング手段の内容物漏水現象を除去し作用を円滑にした有用な発明である。
【図面の簡単な説明】
【００４３】
【図１】本発明に係る化粧品容器を示す縦断面図である。
【図２】本発明に係る化粧品容器のポンピング手段が作動する過程を示す一部断面図である。
【図３】本発明に係る化粧品容器のポンピング手段が作動する過程を示す一部断面図である。
【図４】本発明に係る化粧品容器のポンピング手段が作動する過程を示す一部断面図である。
【図５】本発明に係る化粧品容器のポンピング手段が作動する過程を示す一部断面図である。
【図６】本発明に採用されたラチェットギアの断面図である。
【図７】本発明に採用されたラチェットギアの分解斜視図及び組立斜視図である。
【図８】本発明に採用されたラチェットギアの分解斜視図及び組立斜視図である。
【図９】本発明に係る化粧品容器のピストンが設けられた状態を示す一部断面図である。
【図１０】図５のＡ−Ａ線断面図である。
【図１１】本発明に係る化粧品容器のピストンを示す分解斜視図である。
【図１２】本発明に係る化粧品容器のポンピング手段を示す分解斜視図である。
【図１３】本発明に係る化粧品容器のポンピング手段を示す斜視図である。
【図１４】本発明に係る化粧品容器のポンピング手段が押される過程を示す斜視図である。
【図１５】本発明に係る化粧品容器のポンピング手段が押される過程を示す斜視図である。
【図１６】本発明に係る化粧品容器のポンピング手段が押される過程を示す斜視図である。
【図１７】本発明に係る化粧品容器のポンピング手段が復元される過程を示す斜視図である。
【図１８】本発明に係る化粧品容器のポンピング手段が復元される過程を示す斜視図である。
【図１９】本発明に係る化粧品容器のポンピング手段が復元される過程を示す斜視図である。
【図２０】本発明の他の実施例に係る化粧品容器を示す縦断面図である。
【図２１】本発明の他の実施例に係る化粧品容器のポンピング手段が作動する過程を示す一部断面図である。
【図２２】本発明の他の実施例に係る化粧品容器のポンピング手段が作動する過程を示す一部断面図である。
【図２３】本発明の他の実施例に係る化粧品容器のポンピング手段が作動する過程を示す一部断面図である。
【図２４】本発明の他の実施例に係る化粧品容器のポンピング手段が作動する過程を示す一部断面図である。
【図２５】図２０のＢ−Ｂ線断面図である。
【図２６】本発明の他の実施例に係る化粧品容器のピストンを示す分解斜視図である。
【図２７】本発明の他の実施例に係る化粧品容器のポンピング手段を示す分解斜視図である。
【図２８】本発明の他の実施例に係る化粧品容器のポンピング手段を示す斜視図である。
【図２９】本発明の他の実施例に係る化粧品容器のポンピング手段が押される過程を示す斜視図である。
【図３０】本発明の他の実施例に係る化粧品容器のポンピング手段が押される過程を示す斜視図である。
【図３１】本発明の他の実施例に係る化粧品容器のポンピング手段が押される過程を示す斜視図である。
【図３２】本発明の他の実施例に係る化粧品容器のポンピング手段が復元される過程を示す斜視図である。
【図３３】本発明の他の実施例に係る化粧品容器のポンピング手段が復元される過程を示す斜視図である。
【図３４】本発明の他の実施例に係る化粧品容器のポンピング手段が復元される過程を示す斜視図である。
【図３５】本発明の更に他の実施例に係る化粧品容器を示す縦断面図である。
【図３６】本発明の更に他の実施例に係る化粧品容器を示す縦断面図である。
【図３７】本発明の更に他の実施例に係る化粧品容器を示す縦断面図である。
【図３８】本発明の更に他の実施例に係る化粧品容器のピストンが設けられた状態を示す一部断面図である。
【図３９】本発明の更に他の実施例に係る化粧品容器のピストンが設けられた状態を示す一部断面図である。
【符号の説明】
【００４４】
１００    容器本体
１０６    内容物
１０８    化粧品収容空間
１１０    上部カバー
１２０    ボタン
１２２    排出孔
１２４    スプリング
１４０    スクリュー軸
１５０    ピストン
１５２    シーリングラバー
１５４    ピストンナット
２００    ポンピング手段
２１０    昇降部材
２１２    突起
２２０    回転部材
２２２    螺旋溝
２２４    駆動ギア
２３０    スクリュー部材
２３２    従動ギア
２３４    内容物移動孔
２３５    バルブ
２３６    ラチェットギア
２３８    連結ギア
２３９    断続ギア
２４０    移動管
２４２    内容物流通孔
２５０    シリンダ
２５２    環状パッキン
【図１】
2008514267.tif 000003
【図２】
2008514267.tif 000004
【図３】
2008514267.tif 000005
【図４】
2008514267.tif 000006
【図５】
2008514267.tif 000007
【図６】
2008514267.tif 000008
【図７】
2008514267.tif 000009
【図８】
2008514267.tif 000010
【図９】
2008514267.tif 000011
【図１０】
2008514267.tif 000012
【図１１】
2008514267.tif 000013
【図１２】
2008514267.tif 000014
【図１３】
2008514267.tif 000015
【図１４】
2008514267.tif 000016
【図１５】
2008514267.tif 000017
【図１６】
2008514267.tif 000018
【図１７】
2008514267.tif 000019
【図１８】
2008514267.tif 000020
【図１９】
2008514267.tif 000021
【図２０】
2008514267.tif 000022
【図２１】
2008514267.tif 000023
【図２２】
2008514267.tif 000024
【図２３】
2008514267.tif 000025
【図２４】
2008514267.tif 000026
【図２５】
2008514267.tif 000027
【図２６】
2008514267.tif 000028
【図２７】
2008514267.tif 000029
【図２８】
2008514267.tif 000030
【図２９】
2008514267.tif 000031
【図３０】
2008514267.tif 000032
【図３１】
2008514267.tif 000033
【図３２】
2008514267.tif 000034
【図３３】
2008514267.tif 000035
【図３４】
2008514267.tif 000036
【図３５】
2008514267.tif 000037
【図３６】
2008514267.tif 000038
【図３７】
2008514267.tif 000039
【図３８】
2008514267.tif 000040
【図３９】
2008514267.tif 000041
【手続補正書】
【提出日】平成17年12月15日(2005.12.15)
【手続補正１】
【補正対象書類名】明細書
【補正対象項目名】全文
【補正方法】変更
【補正の内容】
【書類名】      明細書
【発明の名称】  高粘度内容物の定量吐出化粧品容器構造
【技術分野】
本発明は、高粘度内容物の定量吐出化粧品容器構造に関し、より詳しくは、化粧品容器の内部に一種または多種の高粘度内容物が収容できる化粧品収容空間を形成し、化粧品収容空間の内部に設けられたピストンがスクリュー軸に沿って上部に移動しながら高粘度内容物を一定量ずつ押出すると共に、ポンピング手段によりこれを排出して空気との接触による内容物の変質を防止しながら一定量の内容物が排出できるようにした化粧品容器構造に関する。
【背景技術】
一般に、栄養クリーム、アイクリームまたはゲル状ファウンデーションのように、粘度の高い化粧品は円筒形容器に内容物を詰めて保管しており、使用時には化粧品の蓋を開けて手指で内容物を付けて使用するようになっている。したがって、このような従来の高粘度化粧品容器は、内容物を使用するためには、蓋を必ず開かなければならないため、化粧品容器に盛られた高粘度内容物の表面が空気に露出して保存期間が短縮されることは勿論、高粘度内容物を付けて使用する際、使用者が手指を使用するので、内容物が汚染された手指に接触するため、内容物が変質するおそれがあった。また、従来の化粧品容器は、使用者の手指に内容物を付けて取り出すため、引出される量が正確に調節できず、内容物を浪費することになるという問題点もあった。
また、化粧品の種類の中で、２、３種類の化粧品を共に混合して使用して効果の増大を期する化粧品があるが、このような化粧品を予め混合しておくと、化粧品の成分間に化学反応が生じて効果が減少してしまう。このため、別途の容器に別に保管して、２、３種類の化粧品を別々に出して混合してから皮膚に塗布して使用するため、使用上の不便もあった。
このような従来の問題点の解決のために案出したものには、本出願人が実用新案登録出願した大韓民国実用新案登録第３７０５７５号があり、この従来の発明は、容器本体１０の上段部にスプリング２２により弾性支持され、中央には内容物６０が排出される排出孔２４が形成されたボタン２０と、前記ボタン２０により動作され、シリンダ３２の端部により内容物流通孔３４２が開閉される移動管３４を有するポンピング手段３０と、前記ボタン２０の上下動作により回転するスクリュー軸４０と、前記スクリュー軸４０の回転により上昇しながら、容器本体１０に内蔵された内容物６０を押出するピストン５０からなるものであって、ポンピング手段３０により内容物６０を一定量ずつ排出して使用できるようにして、内容物の変質や必要以上に浪費される問題点を解決した。しかしながら、この従来の発明は、ポンピング手段３０の構造的な問題により内容物６０が前記シリンダ３２の端部と移動管３４との間で漏水され、前記漏水された内容物６０が前記ポンピング手段３０の作動部に押し込まれて ポンピング手段３０が円滑に作動できない問題点があり、２、３種類の高粘度内容物を同時に排出させて使用しようとする時には、２、３の化粧品容器が必要であるため、従来の不便が解消できなかった。
【特許文献１】  大韓民国実用新案登録第３７０５７５号
【発明の開示】
【発明が解決しようとする課題】
本発明は、従来の問題を解決するために案出したものであって、その主な目的は、化粧品の蓋を開けないで、内容物を取り出すことができるようにして、内容物が空気と接触しないようにし、内容物を取り出す時には手指で付けて取り出さないで、ポンピング手段により内容物を排出させて使用することで、内容物の変質を防止しようとするものであり、また、ポンピング手段により常に一定量の内容物を排出させて使用することで、内容物の浪費をなくすことにある。
本発明の他の目的は、従来の本出願人が実用新案登録出願した大韓民国実用新案登録第３７０５７５号の問題点を補完したものであって、ポンピング手段の内容物の漏水現象を除去することにある。
また、本発明の更に他の目的は、種々なる高粘度内容物を同時に排出して使用できるようにしたことにある。
【課題を解決するための手段】
このような本発明の目的は、化粧品容器の内部に１種または多種の高粘度内容物が収容できる化粧品収容空間を形成し、各化粧品収容空間の内部の下方にピストンを内蔵してスクリュー軸にこれを上昇するようにすると共に、容器本体の上側にはポンピング手段を設置し、かつ、移動管の内容物流通孔を環状パッキンにより開閉するポンピング手段の作動により容器本体に保管された高粘度内容物を一定量ずつ排出できるようにした高粘度化粧品容器を提供することにより達成できる。
前記の目的を達成するための本発明の特徴的な構成を説明すれば、次の通りである。
本発明の高粘度内容物の定量吐出化粧品容器構造は、容器本体に収蔵された内容物を一定量ずつ排出して使用することができる化粧品容器構造であって、化粧品容器の内部に一種または多種の高粘度内容物が収容できる化粧品収容空間を形成し、容器本体の上段部にスプリングにより弾性支持され、内容物が排出される排出孔が形成されたボタンと、前記ボタンにより動作され、環状パッキンにより排出孔が開閉される移動管を有するポンピング手段と、前記ポンピング手段の動作により回転するスクリュー部材と、前記スクリュー部材の回転により上昇しながら容器本体に収蔵された内容物を押出するピストンと、が含まれたものである。
【発明の効果】
本発明によれば、高粘度化粧品を容器本体に保管した状態で前記容器本体に内蔵されたピストンの上昇作用によって前記高粘度化粧品を押出すると共に、ポンピング手段により一定量ずつ排出することにより化粧品の変質を防止して化粧品の保存期間を延長させることができるのは勿論、化粧品の過消費が防止できるという特有の効果があり、従来の本出願人が実用新案登録出願した大韓民国実用新案登録第３７０５７５号の問題点を除去して改善したものであって、ポンピング手段の内容物漏水現象を除去し作用を円滑にした有用な発明である。
また、種々なる高粘度内容物を同時に排出して使用することで、各々多種の高粘度内容物を別途に排出して混合して使用する不便を解消した。
また、このような本発明は、化粧品容器に使用することに限らず、皮膚軟膏剤または歯磨きのような高粘度の内容物を一定量ずつ排出することに優れた効果があり、添付された図面を参照して本発明が説明されても実用新案登録請求範囲から外れない範囲内で多くの修正及び変更があってもよいことは勿論である。
【発明を実施するための最良の形態】
このような特徴を有する本発明を詳細に説明すれば、次の通りである。
添付された図面は、本発明の技術的思想をより具体的に説明するために図示した一例に過ぎず、本発明の技術的思想は、添付された図面の形態に限るものではない。
図１は本発明に係る化粧品容器を示す縦断面図であり、図２乃至図５は本発明に係る化粧品容器のポンピング手段が作動する過程を示す一部断面図であり、図６は本発明に採用されたラチェットギアの断面図であり、図７及び図８は本発明に採用されたラチェットギアの分解斜視図及び組立斜視図であり、図９は本発明に係る化粧品容器のピストンが設けられた状態を示す一部断面図であり、図１０は図９のＡ−Ａ線断面図であり、図１１は本発明に係る化粧品容器のピストンを示す分解斜視図であり、図１２は本発明に係る化粧品容器のポンピング手段を示す分解斜視図であり、図１３は本発明に係る化粧品容器のポンピング手段を示す斜視図であり、図１４乃至図１６は本発明に係る化粧品容器のポンピング手段が押される過程を示す斜視図であり、図１７乃至図１９は本発明に係る化粧品容器のポンピング手段が復元される過程を示す斜視図である。
ここで、参照されるように、本発明は、栄養クリーム、アイクリーム、またはゲル状のファウンデーションのような高粘度化粧品を容器本体１００の内部に一種または多種が収容できる化粧品収容空間１０８を形成し、容器本体１００の底面に容器栓１０２が結合されている。前記容器本体１００の上側には上部カバー１１０が結合されてあり、前記上部カバー１１０の中央にはスプリング１２４により弾性支持されるボタン１２０が突出するように結合されてあり、前記ボタン１２０の中央には内容物１０６が外部に排出される排出孔１２２が形成されている。
そして、前記上部カバー１１０の内部にはボタン１２０により動作されるポンピング手段２００が設けられてあり、かつ、前記ポンピング手段２００はボタン１２０と共に昇降されるようにボタン１２０の下段部に結合されている。前記ボタン１２０とポンピング手段２００との結合は、移動管２４０に昇降部材２１０とボタン１２０を順次に押し嵌めすることにより、共に連動されるようにした。そして、前記昇降部材２１０の下段部の外側の周面には突起２１２が形成されている。
前記上部カバー１１０の内側の壁面には、切欠溝１３２が形成されてあり、前記切欠溝１３２の中へ前記昇降部材２１０の突起２１２が貫通するように挿入され、前記上部カバー１１０の内側壁面の切欠溝１３２の外側には回転部材２２０が被せられるが、前記回転部材２２０の内側の周面には螺旋溝２２２が形成されて前記突起２１２が挿入されて、前記回転部材２２０の底面には駆動ギア２２４が形成されている。
一方、前記駆動ギア２２４に選択的にギア結合される従動ギア２３２はスクリュー部材２３０の上面に形成されてあり、前記スクリュー部材２３０の下段部にはスクリュー軸１４０が一体形成され、前記スクリュー軸１４０の上方には内容物１０６が移動する内容物移動孔２３４が形成されてあり、前記スクリュー部材２３０の上段の内側には内容物１０６の安定した排出のためにバルブ２３６を設けた。
前記昇降部材２１０の内側に挿入された移動管２４０の下段部の外側の周面には内容物流通孔２４２が形成されてあり、前記移動管２４０の端部の外側には環状パッキン２５２が嵌め込まれて、前記内容物流通孔２４２が選択的に開閉できるようになっている。そして、前記環状パッキン２５２の外側にはシリンダ２５０が結合されている。
また、前記スクリュー部材２３０の底面に一体形成されているスクリュー軸１４０には、前記スクリュー軸１４０の回転により上昇されながら容器本体１００に内蔵された内容物１０６を押出するピストン１５０がねじ結合されてあり、かつ、前記スクリュー軸１４０とピストン１５０との間には気密を維持するように前記ピストン１５０の内部にシーリングラバー１５２が挿入されており、前記シーリングラバー１５２を圧縮して前記スクリュー軸１４０に密着するように前記スクリュー軸１４０の下段部にはピストンナット１５４がねじ結合されている。
一方、ピストン１５０は、回転すれば上方に上昇できないので、前記ピストン１５０の回転を防止するために、図１０と図２５に示すように、容器本体１００とピストン１５０の断面形状を真円形状でない楕円形をなすようにしており、楕円形状の他に、三角形、四角形など、真円形状でなければ、前記ピストン１５０は回転せずに上方に上昇できることになる。
図２０は本発明の他の実施例に係る化粧品容器を示す縦断面図であり、図２１乃至図２４は本発明の他の実施例に係る化粧品容器のポンピング手段が作動する過程を示す一部断面図であり、図２５は図２０のＢ−Ｂ線断面図であり、図２６は本発明の他の実施例に係る化粧品容器のピストンを示す分解斜視図であり、図２７は本発明の他の実施例に係る化粧品容器のポンピング手段を示す分解斜視図であり、図２８は本発明の他の実施例に係る化粧品容器のポンピング手段を示す斜視図であり、図２９乃至図３１は、本発明の他の実施例に係る化粧品容器のポンピング手段が押される過程を示す斜視図であり、図３２乃至図３４は本発明の他の実施例に係る化粧品容器のポンピング手段が復元される過程を示す斜視図である。
本発明の他の実施例に係る化粧品容器は、種々なる高粘度内容物が同時に排出できるように形成されてあり、各々のポンピング手段２００から排出される内容物の量を同一にして、最終的に片側の内容物のみ残る問題点をなくすように、各々のポンピング手段２００を互いに連動させて、各化粧品収容空間１０８の内容物が同時に全て消尽できるようにする必要がある。したがって、２つのポンピング手段２００を連動させるために、図２０に示すように、スクリュー部材２３０の上部側面に断続ギア２３９を形成し、前記２つのポンピング手段２００の間に連結ギア２３８を設けて、前記２つの断続ギア２３９に噛合されるようにした。
このように構成された本発明の作用に対して詳細に説明すれば、次の通りである。
本発明の化粧品容器を使用していない時には、移動管２４０の内容物流通孔２４２を環状パッキン２５２が防いでいるので、容器本体１００に保管された内容物１０６は外部と遮断されるようになる。このような状態で内容物１０６を押出しようとする時には、ボタン１２０を押せば、前記ボタン１２０はスプリング１２４を圧縮しながら下方に移動し、この際、前記ボタン１２０に押し嵌めされている移動管２４０と前記移動管２４０に押し嵌めされている昇降部材２１０が全て下方に移動されるものである。
前記昇降部材２１０が下方に移動する際、前記昇降部材２１０の下段部の外側の周面に形成された突起２１２は、上部カバー１１０の内側壁面切欠溝１３２内で上下のみに直線往復動することになる。この際、前記昇降部材２１０の前記突起２１２の端部が挿入されている回転部材２２０の螺旋溝２２２はななめに螺旋状で形成されているので、前記昇降部材２１０の前記突起２１２が直線で下降するのを妨害することになるので、より強く前記昇降部材２１０を押せば、前記突起２１２が前記螺旋溝２２２の側面を斜めに押しながら下方に下降することになるので、前記回転部材２２０が回転することになるのである。
前記回転部材２２０が回転すれば、その回転部材２２０の駆動ギア２２４と噛合されている従動ギア２３２が共に回転され、前記従動ギア２３２と一体形成されたスクリュー部材２３０及びスクリュー軸１４０が共に回転することになるので、その回転力はスクリュー軸１４０の下段部にねじ結合されたピストンナット１５４に伝えられる。
前記スクリュー軸１４０が回転すれば、前記ピストン１５０は容器本体１００の内部で回転しない断面形状に形成されているため、前記ピストン１５０は、ピストンナット１５４と共に上方に移動することになる。
前記ピストン１５０が上方に移動すれば、容器本体１００に収納された内容物１０６は圧縮されてスクリュー部材２３０に形成された内容物移動孔２３４を通じて排出される。
一方、前記ボタン１２０を押して前記ボタン１２０が下方に移動する際、その中央部に設けられた移動管２４０が共に下方に移動するので、シリンダ２５０の体積が減ることになって、前記シリンダ２５０の内部の圧力が高まることになり、前記シリンダ２５０の内部の圧力が高まることになれば、前記移動管２４０の外側端部が挿入されている環状パッキン２５２はシリンダ２５０の内部の高まる圧力により前記移動管２４０と共に下方に下降できなくて、前記移動管２４０のみ下に降りるので、前記移動管２４０の端部の周面に形成されている内容物流通孔２４２は、図２及び図２１に示すように、前記環状パッキン２５２により塞がっている状態で、図３及び図２２に示すように、前記環状パッキン２５２から開放されながら前記シリンダ２５０内にあった内容物１０６が前記内容物流通孔２４２を通じて排出される。このような状態で更にボタン１２０を押せば、図４及び図２３に示すように、内容物１０６は、前記ボタン１２０の排出孔１２２を通じて外部に排出される。
また、前記ピストン１５０が上方に移動する際、図９に示すように、容器本体１００の底面に形成された空気孔１０４を通じて空気が移動されるので、ピストン１５０が円滑に上昇することになる。
前述したように、内容物１０６が排出された後、ボタン１２０を放すと、図５及び図２４に示すように、スプリング１２４の復元力により移動管２４０が上昇するので、内容物流通孔２４２はまた環状パッキン２５２により遮断されるようになる。
この際、昇降部材２１０の突起２１２が挿入されている回転部材２２０の螺旋溝２２２は、前記突起２１２が直線で上昇することを妨害することになるので、前記突起２１２と前記螺旋溝２２２の側面との摩擦力により、図５及び図２４に示すように、前記回転部材２２０が若干上方に持ち上げられながら前記回転部材２２０の駆動ギア２２４とスクリュー部材２３０の従動ギア２３２との噛合が一時解除されることになり、この際、前記回転部材２２０はボタン１２０を押した時の反対方向に回転しながら図２及び図２１に示すように、元の位置に復元される。
即ち、前記ポンピング手段２００の作動状態を図１４乃至図１９及び図２９乃至図３４を参照して詳細に説明すれば、次の通りである。
図１４及び図２９のような状態で昇降部材２１０を押すと、図１５と図１６、及び図３０と図３１に示すように、前記昇降部材２１０の突起２１２は、上部カバー１１０の内側壁面切欠溝１３２内で直線で下降し、螺旋溝２２２が形成された回転部材２２０は時計方向に回転することになり、前記回転部材２２０の駆動ギア２２４とスクリュー部材２３０の従動ギア２３２が噛合されているので、前記スクリュー部材２３０とスクリュー軸１４０が前記回転部材２２０と共に回転することになる。
一方、前記昇降部材２１０が完全に押された図１７及び図３２のような状態で、前記昇降部材２１０を押した力を除去すれば、スプリング１２４の力により前記昇降部材２１０が上方に上昇することになるが、前記昇降部材２１０の突起２１２が上部カバー１１０の内側壁面切欠溝１３２内で規制されるので、直線で上昇することになり、螺旋溝２２２と前記突起２１２との摩擦力により、図１８及び図３３に示すように、回転部材２２０が若干持ち上げられながら前記回転部材２２０の駆動ギア２２４とスクリュー部材２３０の従動ギア２３２との噛合が解除されるので、前記回転部材２２０が容易に逆回転して、図１９及び図３４に示すように、元の位置に復帰されるようになる。
この際、スクリュー軸１４０は、図６、図７、及び図８に示すように、スクリュー部材２３０に結合されているラチェットギア２３６により逆回転が防止されるのであり、一方、前記ピストン１５０の密閉力を高めるために、図３８及び図３９に示すように、ピストンリング１５６を更に構成することができる。ピストンリング１５６の結合により一層密閉力が高められるのみならず、ピストン１５０の動作も滑らかにすることができる。
前記の説明は、化粧品収容空間１０８を１つ乃至２つ形成し、前記化粧品収容空間１０８に各々ポンピング手段２００を設けた化粧品容器に対して説明したが、本発明は１種乃至２種の高粘度内容物を同時に排出することに止まらず、 図３６及び図３７に示すように、化粧品収容空間１０８を３つ形成し、各化粧品収容空間１０８にポンピング手段２００を設けることにより、３種類の高粘度内容物も同時に排出することができ、前記３つの化粧品収容空間１０８に収容した内容物を全て同一に排出させて、最後には各化粧品収容空間１０８の内容物のうち、いかなる内容物も残量が残らないようにするために、図３７に示すように、各スクリュー部材２３０の上部の側面に断続ギア２３９を形成し、前記断続ギア２３９の間に連結ギア２３８を設けて、各スクリュー部材２３０が同じ回転数で回転するようにすることで、３種類の内容物の排出量を同一にすることができる。
前記のような方法により多数個の化粧品収容空間１０８が構成できることは勿論である。そして、図３５は、本発明の更に他の実施例に係る化粧品容器を示すものであって、製品生産コストの低減のために、各スクリュー部材２３０に断続ギア２３９を形成しておらず、これによって、連結ギア２３８も形成しない実施例を示すものである。
【産業上の利用可能性】
本発明によれば、高粘度化粧品を容器本体に保管した状態で前記容器本体に内蔵されたピストンの上昇作用によって前記高粘度化粧品を押出すると共に、ポンピング手段により一定量ずつ排出することにより化粧品の変質を防止して化粧品の保存期間を延長させることができるのは勿論、化粧品の過消費が防止できるという特有の効果があり、従来の本出願人が実用新案登録出願した大韓民国実用新案登録第３７０５７５号の問題点を除去して改善したものであって、ポンピング手段の内容物漏水現象を除去し作用を円滑にした有用な発明である。
【図面の簡単な説明】
【図１】  本発明に係る化粧品容器を示す縦断面図である。
【図２】  本発明に係る化粧品容器のポンピング手段が作動する過程を示す一部断面図である。
【図３】  本発明に係る化粧品容器のポンピング手段が作動する過程を示す一部断面図である。
【図４】  本発明に係る化粧品容器のポンピング手段が作動する過程を示す一部断面図である。
【図５】  本発明に係る化粧品容器のポンピング手段が作動する過程を示す一部断面図である。
【図６】  本発明に採用されたラチェットギアの断面図である。
【図７】  本発明に採用されたラチェットギアの分解斜視図及び組立斜視図である。
【図８】  本発明に採用されたラチェットギアの分解斜視図及び組立斜視図である。
【図９】  本発明に係る化粧品容器のピストンが設けられた状態を示す一部断面図である。
【図１０】  図９のＡ−Ａ線断面図である。
【図１１】  本発明に係る化粧品容器のピストンを示す分解斜視図である。
【図１２】  本発明に係る化粧品容器のポンピング手段を示す分解斜視図である。
【図１３】  本発明に係る化粧品容器のポンピング手段を示す斜視図である。
【図１４】  本発明に係る化粧品容器のポンピング手段が押される過程を示す斜視図である。
【図１５】  本発明に係る化粧品容器のポンピング手段が押される過程を示す斜視図である。
【図１６】  本発明に係る化粧品容器のポンピング手段が押される過程を示す斜視図である。
【図１７】  本発明に係る化粧品容器のポンピング手段が復元される過程を示す斜視図である。
【図１８】  本発明に係る化粧品容器のポンピング手段が復元される過程を示す斜視図である。
【図１９】  本発明に係る化粧品容器のポンピング手段が復元される過程を示す斜視図である。
【図２０】  本発明の他の実施例に係る化粧品容器を示す縦断面図である。
【図２１】  本発明の他の実施例に係る化粧品容器のポンピング手段が作動する過程を示す一部断面図である。
【図２２】  本発明の他の実施例に係る化粧品容器のポンピング手段が作動する過程を示す一部断面図である。
【図２３】  本発明の他の実施例に係る化粧品容器のポンピング手段が作動する過程を示す一部断面図である。
【図２４】  本発明の他の実施例に係る化粧品容器のポンピング手段が作動する過程を示す一部断面図である。
【図２５】  図２０のＢ−Ｂ線断面図である。
【図２６】  本発明の他の実施例に係る化粧品容器のピストンを示す分解斜視図である。
【図２７】  本発明の他の実施例に係る化粧品容器のポンピング手段を示す分解斜視図である。
【図２８】  本発明の他の実施例に係る化粧品容器のポンピング手段を示す斜視図である。
【図２９】  本発明の他の実施例に係る化粧品容器のポンピング手段が押される過程を示す斜視図である。
【図３０】  本発明の他の実施例に係る化粧品容器のポンピング手段が押される過程を示す斜視図である。
【図３１】  本発明の他の実施例に係る化粧品容器のポンピング手段が押される過程を示す斜視図である。
【図３２】  本発明の他の実施例に係る化粧品容器のポンピング手段が復元される過程を示す斜視図である。
【図３３】  本発明の他の実施例に係る化粧品容器のポンピング手段が復元される過程を示す斜視図である。
【図３４】  本発明の他の実施例に係る化粧品容器のポンピング手段が復元される過程を示す斜視図である。
【図３５】  本発明の更に他の実施例に係る化粧品容器を示す縦断面図である。
【図３６】  本発明の更に他の実施例に係る化粧品容器を示す縦断面図である。
【図３７】  本発明の更に他の実施例に係る化粧品容器を示す縦断面図である。
【図３８】  本発明の更に他の実施例に係る化粧品容器のピストンが設けられた状態を示す一部断面図である。
【図３９】  本発明の更に他の実施例に係る化粧品容器のピストンが設けられた状態を示す一部断面図である。
【符号の説明】
１００    容器本体
１０６    内容物
１０８    化粧品収容空間
１１０    上部カバー
１２０    ボタン
１２２    排出孔
１２４    スプリング
１４０    スクリュー軸
１５０    ピストン
１５２    シーリングラバー
１５４    ピストンナット
２００    ポンピング手段
２１０    昇降部材
２１２    突起
２２０    回転部材
２２２    螺旋溝
２２４    駆動ギア
２３０    スクリュー部材
２３２    従動ギア
２３４    内容物移動孔
２３５    バルブ
２３６    ラチェットギア
２３８    連結ギア
２３９    断続ギア
２４０    移動管
２４２    内容物流通孔
２５０    シリンダ
２５２    環状パッキン
【手続補正書】
【提出日】平成20年2月21日(2008.2.21)
【手続補正１】
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】
本発明は、高粘度内容物の定量吐出化粧品容器構造に関し、より詳しくは、化粧品容器の内部に一種または多種の高粘度内容物が収容できる化粧品収容空間を形成し、化粧品収容空間の内部に設けられたピストンがスクリュー軸に沿って上部に移動しながら高粘度内容物を一定量ずつ押出すると共に、ポンピング手段によりこれを排出して空気との接触による内容物の変質を防止しながら一定量の内容物が排出できるようにした化粧品容器構造に関する。
【背景技術】
【０００２】
一般に、栄養クリーム、アイクリームまたはゲル状ファウンデーションのように、粘度の高い化粧品は円筒形容器に内容物を詰めて保管しており、使用時には化粧品の蓋を開けて手指で内容物を付けて使用するようになっている。したがって、このような従来の高粘度化粧品容器は、内容物を使用するためには、蓋を必ず開かなければならないため、化粧品容器に盛られた高粘度内容物の表面が空気に露出して保存期間が短縮されることは勿論、高粘度内容物を付けて使用する際、使用者が手指を使用するので、内容物が汚染された手指に接触するため、内容物が変質するおそれがあった。また、従来の化粧品容器は、使用者の手指に内容物を付けて取り出すため、引出される量が正確に調節できず、内容物を浪費することになるという問題点もあった。
【０００３】
また、化粧品の種類の中で、２、３種類の化粧品を共に混合して使用して効果の増大を期する化粧品があるが、このような化粧品を予め混合しておくと、化粧品の成分間に化学反応が生じて効果が減少してしまう。このため、別途の容器に別に保管して、２、３種類の化粧品を別々に出して混合してから皮膚に塗布して使用するため、使用上の不便もあった。
【０００４】
このような従来の問題点の解決のために案出したものには、本出願人が実用新案登録出願した大韓民国実用新案登録第３７０５７５号があり、この従来の発明は、容器本体１０の上段部にスプリング２２により弾性支持され、中央には内容物６０が排出される排出孔２４が形成されたボタン２０と、前記ボタン２０により動作され、シリンダ３２の端部により内容物流通孔３４２が開閉される移動管３４を有するポンピング手段３０と、前記ボタン２０の上下動作により回転するスクリュー軸４０と、前記スクリュー軸４０の回転により上昇しながら、容器本体１０に内蔵された内容物６０を押出するピストン５０からなるものであって、ポンピング手段３０により内容物６０を一定量ずつ排出して使用できるようにして、内容物の変質や必要以上に浪費される問題点を解決した。しかしながら、この従来の発明は、ポンピング手段３０の構造的な問題により内容物６０が前記シリンダ３２の端部と移動管３４との間で漏水され、前記漏水された内容物６０が前記ポンピング手段３０の作動部に押し込まれて ポンピング手段３０が円滑に作動できない問題点があり、２、３種類の高粘度内容物を同時に排出させて使用しようとする時には、２、３の化粧品容器が必要であるため、従来の不便が解消できなかった。
【特許文献１】大韓民国実用新案登録第３７０５７５号
【発明の開示】
【発明が解決しようとする課題】
【０００５】
本発明は、従来の問題を解決するために案出したものであって、その主な目的は、化粧品の蓋を開けないで、内容物を取り出すことができるようにして、内容物が空気と接触しないようにし、内容物を取り出す時には手指で付けて取り出さないで、ポンピング手段により内容物を排出させて使用することで、内容物の変質を防止しようとするものであり、また、ポンピング手段により常に一定量の内容物を排出させて使用することで、内容物の浪費をなくすことにある。
【０００６】
本発明の他の目的は、従来の本出願人が実用新案登録出願した大韓民国実用新案登録第３７０５７５号の問題点を補完したものであって、ポンピング手段の内容物の漏水現象を除去することにある。
【０００７】
また、本発明の更に他の目的は、種々なる高粘度内容物を同時に排出して使用できるようにしたことにある。
【課題を解決するための手段】
【０００８】
このような本発明の目的は、化粧品容器の内部に１種または多種の高粘度内容物が収容できる化粧品収容空間を形成し、各化粧品収容空間の内部の下方にピストンを内蔵してスクリュー軸にこれを上昇するようにすると共に、容器本体の上側にはポンピング手段を設置し、かつ、移動管の内容物流通孔を環状パッキンにより開閉するポンピング手段の作動により容器本体に保管された高粘度内容物を一定量ずつ排出できるようにした高粘度化粧品容器を提供することにより達成できる。
【０００９】
前記の目的を達成するための本発明の特徴的な構成を説明すれば、次の通りである。
【００１０】
本発明の高粘度内容物の定量吐出化粧品容器構造は、容器本体に収蔵された内容物を一定量ずつ排出して使用することができる化粧品容器構造であって、化粧品容器の内部に一種または多種の高粘度内容物が収容できる化粧品収容空間を形成し、容器本体の上段部にスプリングにより弾性支持され、内容物が排出される排出孔が形成されたボタンと、前記ボタンにより動作され、環状パッキンにより排出孔が開閉される移動管を有するポンピング手段と、前記ポンピング手段の動作により回転するスクリュー部材と、前記スクリュー部材の回転により上昇しながら容器本体に収蔵された内容物を押出するピストンと、が含まれたものである。
【発明の効果】
【００１１】
本発明によれば、高粘度化粧品を容器本体に保管した状態で前記容器本体に内蔵されたピストンの上昇作用によって前記高粘度化粧品を押出すると共に、ポンピング手段により一定量ずつ排出することにより化粧品の変質を防止して化粧品の保存期間を延長させることができるのは勿論、化粧品の過消費が防止できるという特有の効果があり、従来の本出願人が実用新案登録出願した大韓民国実用新案登録第３７０５７５号の問題点を除去して改善したものであって、ポンピング手段の内容物漏水現象を除去し作用を円滑にした有用な発明である。
【００１２】
また、種々なる高粘度内容物を同時に排出して使用することで、各々多種の高粘度内容物を別途に排出して混合して使用する不便を解消した。
【００１３】
また、このような本発明は、化粧品容器に使用することに限らず、皮膚軟膏剤または歯磨きのような高粘度の内容物を一定量ずつ排出することに優れた効果があり、添付された図面を参照して本発明が説明されても実用新案登録請求範囲から外れない範囲内で多くの修正及び変更があってもよいことは勿論である。
【発明を実施するための最良の形態】
【００１４】
このような特徴を有する本発明を詳細に説明すれば、次の通りである。
【００１５】
添付された図面は、本発明の技術的思想をより具体的に説明するために図示した一例に過ぎず、本発明の技術的思想は、添付された図面の形態に限るものではない。
【００１６】
図１は本発明に係る化粧品容器を示す縦断面図であり、図２乃至図５は本発明に係る化粧品容器のポンピング手段が作動する過程を示す一部断面図であり、図６は本発明に採用されたラチェットギアの断面図であり、図７及び図８は本発明に採用されたラチェットギアの分解斜視図及び組立斜視図であり、図９は本発明に係る化粧品容器のピストンが設けられた状態を示す一部断面図であり、図１０は図９のＡ−Ａ線断面図であり、図１１は本発明に係る化粧品容器のピストンを示す分解斜視図であり、図１２は本発明に係る化粧品容器のポンピング手段を示す分解斜視図であり、図１３は本発明に係る化粧品容器のポンピング手段を示す斜視図であり、図１４乃至図１６は本発明に係る化粧品容器のポンピング手段が押される過程を示す斜視図であり、図１７乃至図１９は本発明に係る化粧品容器のポンピング手段が復元される過程を示す斜視図である。
【００１７】
ここで、参照されるように、本発明は、栄養クリーム、アイクリーム、またはゲル状のファウンデーションのような高粘度化粧品を容器本体１００の内部に一種または多種が収容できる化粧品収容空間１０８を形成し、容器本体１００の底面に容器栓１０２が結合されている。前記容器本体１００の上側には上部カバー１１０が結合されてあり、前記上部カバー１１０の中央にはスプリング１２４により弾性支持されるボタン１２０が突出するように結合されてあり、前記ボタン１２０の中央には内容物１０６が外部に排出される排出孔１２２が形成されている。
【００１８】
そして、前記上部カバー１１０の内部にはボタン１２０により動作されるポンピング手段２００が設けられてあり、かつ、前記ポンピング手段２００はボタン１２０と共に昇降されるようにボタン１２０の下段部に結合されている。前記ボタン１２０とポンピング手段２００との結合は、移動管２４０に昇降部材２１０とボタン１２０を順次に押し嵌めすることにより、共に連動されるようにした。そして、前記昇降部材２１０の下段部の外側の周面には突起２１２が形成されている。
【００１９】
前記上部カバー１１０の内側の壁面には、切欠溝１３２が形成されてあり、前記切欠溝１３２の中へ前記昇降部材２１０の突起２１２が貫通するように挿入され、前記上部カバー１１０の内側壁面の切欠溝１３２の外側には回転部材２２０が被せられるが、前記回転部材２２０の内側の周面には螺旋溝２２２が形成されて前記突起２１２が挿入されて、前記回転部材２２０の底面には駆動ギア２２４が形成されている。
【００２０】
一方、前記駆動ギア２２４に選択的にギア結合される従動ギア２３２はスクリュー部材２３０の上面に形成されてあり、前記スクリュー部材２３０の下段部にはスクリュー軸１４０が一体形成され、前記スクリュー軸１４０の上方には内容物１０６が移動する内容物移動孔２３４が形成されてあり、前記スクリュー部材２３０の上段の内側には内容物１０６の安定した排出のためにバルブ２３６を設けた。
【００２１】
前記昇降部材２１０の内側に挿入された移動管２４０の下段部の外側の周面には内容物流通孔２４２が形成されてあり、前記移動管２４０の端部の外側には環状パッキン２５２が嵌め込まれて、前記内容物流通孔２４２が選択的に開閉できるようになっている。そして、前記環状パッキン２５２の外側にはシリンダ２５０が結合されている。
【００２２】
また、前記スクリュー部材２３０の底面に一体形成されているスクリュー軸１４０には、前記スクリュー軸１４０の回転により上昇されながら容器本体１００に内蔵された内容物１０６を押出するピストン１５０がねじ結合されてあり、かつ、前記スクリュー軸１４０とピストン１５０との間には気密を維持するように前記ピストン１５０の内部にシーリングラバー１５２が挿入されており、前記シーリングラバー１５２を圧縮して前記スクリュー軸１４０に密着するように前記スクリュー軸１４０の下段部にはピストンナット１５４がねじ結合されている。
【００２３】
一方、ピストン１５０は、回転すれば上方に上昇できないので、前記ピストン１５０の回転を防止するために、図１０と図２５に示すように、容器本体１００とピストン１５０の断面形状を真円形状でない楕円形をなすようにしており、楕円形状の他に、三角形、四角形など、真円形状でなければ、前記ピストン１５０は回転せずに上方に上昇できることになる。
【００２４】
図２０は本発明の他の実施例に係る化粧品容器を示す縦断面図であり、図２１乃至図２４は本発明の他の実施例に係る化粧品容器のポンピング手段が作動する過程を示す一部断面図であり、図２５は図２０のＢ−Ｂ線断面図であり、図２６は本発明の他の実施例に係る化粧品容器のピストンを示す分解斜視図であり、図２７は本発明の他の実施例に係る化粧品容器のポンピング手段を示す分解斜視図であり、図２８は本発明の他の実施例に係る化粧品容器のポンピング手段を示す斜視図であり、図２９乃至図３１は、本発明の他の実施例に係る化粧品容器のポンピング手段が押される過程を示す斜視図であり、図３２乃至図３４は本発明の他の実施例に係る化粧品容器のポンピング手段が復元される過程を示す斜視図である。
【００２５】
本発明の他の実施例に係る化粧品容器は、種々なる高粘度内容物が同時に排出できるように形成されてあり、各々のポンピング手段２００から排出される内容物の量を同一にして、最終的に片側の内容物のみ残る問題点をなくすように、各々のポンピング手段２００を互いに連動させて、各化粧品収容空間１０８の内容物が同時に全て消尽できるようにする必要がある。したがって、２つのポンピング手段２００を連動させるために、図２０に示すように、スクリュー部材２３０の上部側面に断続ギア２３９を形成し、前記２つのポンピング手段２００の間に連結ギア２３８を設けて、前記２つの断続ギア２３９に噛合されるようにした。
【００２６】
このように構成された本発明の作用に対して詳細に説明すれば、次の通りである。
【００２７】
本発明の化粧品容器を使用していない時には、移動管２４０の内容物流通孔２４２を環状パッキン２５２が防いでいるので、容器本体１００に保管された内容物１０６は外部と遮断されるようになる。このような状態で内容物１０６を押出しようとする時には、ボタン１２０を押せば、前記ボタン１２０はスプリング１２４を圧縮しながら下方に移動し、この際、前記ボタン１２０に押し嵌めされている移動管２４０と前記移動管２４０に押し嵌めされている昇降部材２１０が全て下方に移動されるものである。
【００２８】
前記昇降部材２１０が下方に移動する際、前記昇降部材２１０の下段部の外側の周面に形成された突起２１２は、上部カバー１１０の内側壁面切欠溝１３２内で上下のみに直線往復動することになる。この際、前記昇降部材２１０の前記突起２１２の端部が挿入されている回転部材２２０の螺旋溝２２２はななめに螺旋状で形成されているので、前記昇降部材２１０の前記突起２１２が直線で下降するのを妨害することになるので、より強く前記昇降部材２１０を押せば、前記突起２１２が前記螺旋溝２２２の側面を斜めに押しながら下方に下降することになるので、前記回転部材２２０が回転することになるのである。
【００２９】
前記回転部材２２０が回転すれば、その回転部材２２０の駆動ギア２２４と噛合されている従動ギア２３２が共に回転され、前記従動ギア２３２と一体形成されたスクリュー部材２３０及びスクリュー軸１４０が共に回転することになるので、その回転力はスクリュー軸１４０の下段部にねじ結合されたピストンナット１５４に伝えられる。
【００３０】
前記スクリュー軸１４０が回転すれば、前記ピストン１５０は容器本体１００の内部で回転しない断面形状に形成されているため、前記ピストン１５０は、ピストンナット１５４と共に上方に移動することになる。
【００３１】
前記ピストン１５０が上方に移動すれば、容器本体１００に収納された内容物１０６は圧縮されてスクリュー部材２３０に形成された内容物移動孔２３４を通じて排出される。
【００３２】
一方、前記ボタン１２０を押して前記ボタン１２０が下方に移動する際、その中央部に設けられた移動管２４０が共に下方に移動するので、シリンダ２５０の体積が減ることになって、前記シリンダ２５０の内部の圧力が高まることになり、前記シリンダ２５０の内部の圧力が高まることになれば、前記移動管２４０の外側端部が挿入されている環状パッキン２５２はシリンダ２５０の内部の高まる圧力により前記移動管２４０と共に下方に下降できなくて、前記移動管２４０のみ下に降りるので、前記移動管２４０の端部の周面に形成されている内容物流通孔２４２は、図２及び図２１に示すように、前記環状パッキン２５２により塞がっている状態で、図３及び図２２に示すように、前記環状パッキン２５２から開放されながら前記シリンダ２５０内にあった内容物１０６が前記内容物流通孔２４２を通じて排出される。このような状態で更にボタン１２０を押せば、図４及び図２３に示すように、内容物１０６は、前記ボタン１２０の排出孔１２２を通じて外部に排出される。
【００３３】
また、前記ピストン１５０が上方に移動する際、図９に示すように、容器本体１００の底面に形成された空気孔１０４を通じて空気が移動されるので、ピストン１５０が円滑に上昇することになる。
【００３４】
前述したように、内容物１０６が排出された後、ボタン１２０を放すと、図５及び図２４に示すように、スプリング１２４の復元力により移動管２４０が上昇するので、内容物流通孔２４２はまた環状パッキン２５２により遮断されるようになる。
【００３５】
この際、昇降部材２１０の突起２１２が挿入されている回転部材２２０の螺旋溝２２２は、前記突起２１２が直線で上昇することを妨害することになるので、前記突起２１２と前記螺旋溝２２２の側面との摩擦力により、図５及び図２４に示すように、前記回転部材２２０が若干上方に持ち上げられながら前記回転部材２２０の駆動ギア２２４とスクリュー部材２３０の従動ギア２３２との噛合が一時解除されることになり、この際、前記回転部材２２０はボタン１２０を押した時の反対方向に回転しながら図２及び図２１に示すように、元の位置に復元される。
【００３６】
即ち、前記ポンピング手段２００の作動状態を図１４乃至図１９及び図２９乃至図３４を参照して詳細に説明すれば、次の通りである。
【００３７】
図１４及び図２９のような状態で昇降部材２１０を押すと、図１５と図１６、及び図３０と図３１に示すように、前記昇降部材２１０の突起２１２は、上部カバー１１０の内側壁面切欠溝１３２内で直線で下降し、螺旋溝２２２が形成された回転部材２２０は時計方向に回転することになり、前記回転部材２２０の駆動ギア２２４とスクリュー部材２３０の従動ギア２３２が噛合されているので、前記スクリュー部材２３０とスクリュー軸１４０が前記回転部材２２０と共に回転することになる。
【００３８】
一方、前記昇降部材２１０が完全に押された図１７及び図３２のような状態で、前記昇降部材２１０を押した力を除去すれば、スプリング１２４の力により前記昇降部材２１０が上方に上昇することになるが、前記昇降部材２１０の突起２１２が上部カバー１１０の内側壁面切欠溝１３２内で規制されるので、直線で上昇することになり、螺旋溝２２２と前記突起２１２との摩擦力により、図１８及び図３３に示すように、回転部材２２０が若干持ち上げられながら前記回転部材２２０の駆動ギア２２４とスクリュー部材２３０の従動ギア２３２との噛合が解除されるので、前記回転部材２２０が容易に逆回転して、図１９及び図３４に示すように、元の位置に復帰されるようになる。
【００３９】
この際、スクリュー軸１４０は、図６、図７、及び図８に示すように、スクリュー部材２３０に結合されているラチェットギア２３６により逆回転が防止されるのであり、一方、前記ピストン１５０の密閉力を高めるために、図３８及び図３９に示すように、ピストンリング１５６を更に構成することができる。ピストンリング１５６の結合により一層密閉力が高められるのみならず、ピストン１５０の動作も滑らかにすることができる。
【００４０】
前記の説明は、化粧品収容空間１０８を１つ乃至２つ形成し、前記化粧品収容空間１０８に各々ポンピング手段２００を設けた化粧品容器に対して説明したが、本発明は１種乃至２種の高粘度内容物を同時に排出することに止まらず、 図３６及び図３７に示すように、化粧品収容空間１０８を３つ形成し、各化粧品収容空間１０８にポンピング手段２００を設けることにより、３種類の高粘度内容物も同時に排出することができ、前記３つの化粧品収容空間１０８に収容した内容物を全て同一に排出させて、最後には各化粧品収容空間１０８の内容物のうち、いかなる内容物も残量が残らないようにするために、図３７に示すように、各スクリュー部材２３０の上部の側面に断続ギア２３９を形成し、前記断続ギア２３９の間に連結ギア２３８を設けて、各スクリュー部材２３０が同じ回転数で回転するようにすることで、３種類の内容物の排出量を同一にすることができる。
【００４１】
前記のような方法により多数個の化粧品収容空間１０８が構成できることは勿論である。そして、図３５は、本発明の更に他の実施例に係る化粧品容器を示すものであって、製品生産コストの低減のために、各スクリュー部材２３０に断続ギア２３９を形成しておらず、これによって、連結ギア２３８も形成しない実施例を示すものである。
【産業上の利用可能性】
【００４２】
本発明によれば、高粘度化粧品を容器本体に保管した状態で前記容器本体に内蔵されたピストンの上昇作用によって前記高粘度化粧品を押出すると共に、ポンピング手段により一定量ずつ排出することにより化粧品の変質を防止して化粧品の保存期間を延長させることができるのは勿論、化粧品の過消費が防止できるという特有の効果があり、従来の本出願人が実用新案登録出願した大韓民国実用新案登録第３７０５７５号の問題点を除去して改善したものであって、ポンピング手段の内容物漏水現象を除去し作用を円滑にした有用な発明である。
【図面の簡単な説明】
【００４３】
【図１】本発明に係る化粧品容器を示す縦断面図である。
【図２】本発明に係る化粧品容器のポンピング手段が作動する過程を示す一部断面図である。
【図３】本発明に係る化粧品容器のポンピング手段が作動する過程を示す一部断面図である。
【図４】本発明に係る化粧品容器のポンピング手段が作動する過程を示す一部断面図である。
【図５】本発明に係る化粧品容器のポンピング手段が作動する過程を示す一部断面図である。
【図６】本発明に採用されたラチェットギアの断面図である。
【図７】本発明に採用されたラチェットギアの分解斜視図及び組立斜視図である。
【図８】本発明に採用されたラチェットギアの分解斜視図及び組立斜視図である。
【図９】本発明に係る化粧品容器のピストンが設けられた状態を示す一部断面図である。
【図１０】図９のＡ−Ａ線断面図である。
【図１１】本発明に係る化粧品容器のピストンを示す分解斜視図である。
【図１２】本発明に係る化粧品容器のポンピング手段を示す分解斜視図である。
【図１３】本発明に係る化粧品容器のポンピング手段を示す斜視図である。
【図１４】本発明に係る化粧品容器のポンピング手段が押される過程を示す斜視図である。
【図１５】本発明に係る化粧品容器のポンピング手段が押される過程を示す斜視図である。
【図１６】本発明に係る化粧品容器のポンピング手段が押される過程を示す斜視図である。
【図１７】本発明に係る化粧品容器のポンピング手段が復元される過程を示す斜視図である。
【図１８】本発明に係る化粧品容器のポンピング手段が復元される過程を示す斜視図である。
【図１９】本発明に係る化粧品容器のポンピング手段が復元される過程を示す斜視図である。
【図２０】本発明の他の実施例に係る化粧品容器を示す縦断面図である。
【図２１】本発明の他の実施例に係る化粧品容器のポンピング手段が作動する過程を示す一部断面図である。
【図２２】本発明の他の実施例に係る化粧品容器のポンピング手段が作動する過程を示す一部断面図である。
【図２３】本発明の他の実施例に係る化粧品容器のポンピング手段が作動する過程を示す一部断面図である。
【図２４】本発明の他の実施例に係る化粧品容器のポンピング手段が作動する過程を示す一部断面図である。
【図２５】図２０のＢ−Ｂ線断面図である。
【図２６】本発明の他の実施例に係る化粧品容器のピストンを示す分解斜視図である。
【図２７】本発明の他の実施例に係る化粧品容器のポンピング手段を示す分解斜視図である。
【図２８】本発明の他の実施例に係る化粧品容器のポンピング手段を示す斜視図である。
【図２９】本発明の他の実施例に係る化粧品容器のポンピング手段が押される過程を示す斜視図である。
【図３０】本発明の他の実施例に係る化粧品容器のポンピング手段が押される過程を示す斜視図である。
【図３１】本発明の他の実施例に係る化粧品容器のポンピング手段が押される過程を示す斜視図である。
【図３２】本発明の他の実施例に係る化粧品容器のポンピング手段が復元される過程を示す斜視図である。
【図３３】本発明の他の実施例に係る化粧品容器のポンピング手段が復元される過程を示す斜視図である。
【図３４】本発明の他の実施例に係る化粧品容器のポンピング手段が復元される過程を示す斜視図である。
【図３５】本発明の更に他の実施例に係る化粧品容器を示す縦断面図である。
【図３６】本発明の更に他の実施例に係る化粧品容器を示す縦断面図である。
【図３７】本発明の更に他の実施例に係る化粧品容器を示す縦断面図である。
【図３８】本発明の更に他の実施例に係る化粧品容器のピストンが設けられた状態を示す一部断面図である。
【図３９】本発明の更に他の実施例に係る化粧品容器のピストンが設けられた状態を示す一部断面図である。
【符号の説明】
【００４４】
１００    容器本体
１０６    内容物
１０８    化粧品収容空間
１１０    上部カバー
１２０    ボタン
１２２    排出孔
１２４    スプリング
１４０    スクリュー軸
１５０    ピストン
１５２    シーリングラバー
１５４    ピストンナット
２００    ポンピング手段
２１０    昇降部材
２１２    突起
２２０    回転部材
２２２    螺旋溝
２２４    駆動ギア
２３０    スクリュー部材
２３２    従動ギア
２３４    内容物移動孔
２３５    バルブ
２３６    ラチェットギア
２３８    連結ギア
２３９    断続ギア
２４０    移動管
２４２    内容物流通孔
２５０    シリンダ
２５２    環状パッキン
【国際調査報告】
2008514267.tif 000042